(57)【要約】【課題】本発明は、上記事情に鑑みてなされたもので、鉄筋コンクリート構造物中の鉄筋に確実に固定し、所要のコンクリート被り厚を確保することのできる鉄筋用スペーサを提供する。【解決手段】横筋１bの外側に縦筋１aが配筋され縦筋１aと横筋１bとが交差する交差部分１Ａに取り付けられて、コンクリート構造物の被り厚を確保する鉄筋用スペーサ１０は、構築されるコンクリート構造物の型枠２に、先端面１１aが当接して配されるブロック状のスペーサ本体１１と、該スペーサ本体１１の基端面１１aから突出して設けられて、縦筋１aを挟み込むとともにその両側において横筋１bに吊り下げた状態で係止する一対のアーム部１２、１２とを備えている。【選択図】図１
2005126907.tif 000002
【特許請求の範囲】
【請求項１】
横筋の外側に縦筋が配筋され縦筋と横筋とが交差する交差部分に取り付けられて、コンクリート構造物の被り厚を確保する鉄筋用スペーサであって、
構築されるコンクリート構造物の型枠に、先端面が当接して配されるブロック状のスペーサ本体と、
該スペーサ本体の基端面から突出して設けられて、前記縦筋を挟み込むとともにその両側において前記横筋に吊り下げた状態で係止する一対のアーム部とを備えていることを特徴とする鉄筋用スペーサ。
【請求項２】
縦筋の外側に横筋が配筋されて縦筋と横筋とが交差する交差部分に取り付けられて、コンクリート構造物の被り厚を確保する鉄筋用スペーサであって、
構築されるコンクリート構造物の型枠に、先端面が当接して配されるブロック状のスペーサ本体と、
該スペーサ本体の基端面から突出して設けられて、前記横筋に吊り下げた状態で係止する一対のアーム部と、
前記スペーサ本体の基端面から突出して設けられて、前記縦筋を挟み込むとともに、前記基端面が前記縦筋に対して略平行となるように前記スペーサ本体を保持する保持部とを備えていることを特徴とする鉄筋用スペーサ。
【請求項３】
前記スペーサ本体の前記先端面は、曲面形状を有していることを特徴とする請求項１又は２に記載の鉄筋用スペーサ。
【発明の詳細な説明】
【技術分野】
【０００１】
本発明は、コンクリート構造物の被り厚を確保する鉄筋用スペーサに関する。
【背景技術】
【０００２】
鉄筋コンクリート構造物の耐久性を確保するためには、一般的にコンクリート被り厚を設計通り確保することが重要とされている。そこで、従来より鉄筋を配設し、鉄筋にスペーサを取り付けた後に型枠を組み立て、該型枠内にコンクリートを打設することによって鉄筋コンクリート構造物を構築している。
このようなスペーサとしては、型枠の内面に接触するブロック状のスペーサ本体と、弾性を有する金属線等により形成され鉄筋に係合してスペーサ本体を着脱可能に支持する鉄筋支持具とを備えた構成のもの（例えば、特許文献１、２参照）が知られている。また、略逆四角錐台状のスペーサ本体の各対向する周側面に形成された支持溝に、鉄筋を挿入して鉄筋に支持するスペーサも開示されている（特許文献３参照）。
【特許文献１】特開２００２−３３２７１４号公報
【特許文献２】特開２００２−６１３３４号公報
【特許文献３】特開２００３−３６０８号公報
【発明の開示】
【発明が解決しようとする課題】
【０００３】
しかしながら、上記特許文献１〜３に記載のスペーサはいずれも縦筋又は横筋のどちらかの鉄筋、すなわち一本の鉄筋のみに取り付けられているため、スペーサの安定性が悪く、型枠組み立て時の振動、さらに、打設したコンクリートやコンクリート締め固め用のバイブレータ等の衝撃によりスペーサが脱落、転倒し易かった。また、このように脱落、転倒したスペーサを直すことが困難であった。
その結果、鉄筋に所要のコンクリート被り厚を持たせるためにスペーサを使用しているにも関わらず、スペーサが脱落、転倒することにより所要のコンクリート被り厚を確保できなくなる場合があった。
【０００４】
本発明は、上記事情に鑑みてなされたもので、鉄筋コンクリート構造物中の鉄筋に確実に固定し、所要のコンクリート被り厚を確保することのできる鉄筋用スペーサを提供することを課題としている。
【課題を解決するための手段】
【０００５】
上記課題を解決するために、請求項１の発明は、例えば、図１(a)、(b)に示すように、横筋１bの外側に縦筋１aが配筋され縦筋１aと横筋１bとが交差する交差部分１Ａに取り付けられて、コンクリート構造物の被り厚を確保する鉄筋用スペーサ１０であって、
構築されるコンクリート構造物の型枠２に、先端面１１aが当接して配されるブロック状のスペーサ本体１１と、
該スペーサ本体１１の基端面１１bから突出して設けられて、前記縦筋１aを挟み込むとともにその両側において前記横筋１bに吊り下げた状態で係止する一対のアーム部１２、１２とを備えていることを特徴とする。
【０００６】
請求項１の発明によれば、横筋の外側に縦筋が配筋された交差部分において、アーム部が手前の縦筋を挟み込むとともにその両側において奥側の横筋に吊り下げた状態で係止することによって、従来のように縦筋もしくは横筋のどちらか一方の鉄筋に固定されるのではなく、縦筋と横筋との交差部分に鉄筋用スペーサが固定されることとなる。したがって、鉄筋用スペーサの安定性が良く、型枠組み立て時の振動、打設したコンクリートやバイブレータ等の衝撃によりスペーサが脱落や転倒しにくくなる。
その結果、所要のコンクリート被り厚を正確かつ容易に確保することができる。また、このことから被り厚の検測の手間を省略することができるため、鉄筋用スペーサの数のみの確認で済み、施工管理の効率化に優れる。
【０００７】
請求項２の発明は、例えば、図２(a)、(b)に示すように、縦筋１aの外側に横筋１bが配筋されて縦筋１aと横筋１bとが交差する交差部分１Ｂに取り付けられて、コンクリート構造物の被り厚を確保する鉄筋用スペーサ２０であって、
構築されるコンクリート構造物の型枠２に、先端面１１aが当接して配されるブロック状のスペーサ本体１１と、
該スペーサ本体１１の基端面１１bから突出して設けられて、前記横筋１bに吊り下げた状態で係止する一対のアーム部２１と、
前記スペーサ本体１１の基端面１１bから突出して設けられて、前記縦筋１aを挟み込むとともに、前記基端面１１bが前記縦筋１aに対して略平行となるように前記スペーサ本体１１を保持する保持部２２とを備えていることを特徴とする。
【０００８】
請求項２の発明によれば、縦筋の外側に横筋が配筋された交差部分において、アーム部が手前の横筋に吊り下げた状態で係止し、保持部が、奥側の縦筋を挟み込むとともにスペーサ本体をその基端面が縦筋に対して略平行となるように保持することによって、従来のように縦筋もしくは横筋のどちらか一方の鉄筋に固定されるのではなく、縦筋と横筋との交差部分に鉄筋用スペーサが固定されることとなる。したがって、鉄筋用スペーサの安定性が良く、型枠組み立て時の振動、打設したコンクリートやバイブレータ等の衝撃によりスペーサが脱落や転倒しにくくなる。
その結果、所要のコンクリート被り厚を正確かつ容易に確保することができる。また、このことから被り厚の検測の手間を省略することができるため、鉄筋用スペーサの数のみの確認で済み、施工管理の効率化に優れる。
【０００９】
請求項３の発明は、例えば、図１(a)、(b)に示すように、請求項１又は２に記載の鉄筋用スペーサ１０において、
前記スペーサ本体１１の前記先端面１１aは、曲面形状を有していることを特徴とする。
【００１０】
請求項３の発明によれば、スペーサ本体の先端面が曲面形状を有しているので、例えば、型枠の調整時等に型枠が多少がたついたとしても、コンクリート被り厚が変わることがない。すなわち、スペーサ本体の先端面が平面形状を有していた場合には、型枠がずれてスペーサ本体の角部分が型枠にあたった場合には、大幅に被り厚が変わってしまうが、本発明ではこのようなずれを防止することができる。
また、スペーサ本体の先端面が平面形状を有している場合に比べて、型枠に接触する面積が少なくなるため、型枠調整時や鉄筋調整時にスペーサ本体が一緒にずれにくくなり、この点においても鉄筋用スペーサの脱落、転倒を防止することができる。
【発明の効果】
【００１１】
本発明に係る鉄筋用スペーサによれば、横筋の外側に縦筋が配筋された交差部分に設ける場合には、アーム部が縦筋を挟み込むとともに横筋に吊り下げた状態で係止するので、従来のように一本の鉄筋に固定する場合に比して、鉄筋用スペーサを安定して固定することができ、脱落や転倒しにくくなる。
また、縦筋の外側に横筋が配筋された交差部分に設ける場合には、アーム部が縦筋を挟み込むとともに横筋に吊り下げた状態で係止し、保持部がスペーサ本体をその基端面が縦筋に対して略平行となるように保持するので、鉄筋用スペーサを安定して固定することができ、脱落や転倒しにくくなる。
したがって、所要のコンクリート被り厚を正確かつ容易に確保することができる。また、このことから、被り厚の検測の手間が省略でき、施工管理の効率化に優れる。
【発明を実施するための最良の形態】
【００１２】
以下、本発明の第１及び第２の実施の形態を図面に基づいて説明する。
図１(a)は、本発明の第１の実施の形態を示す鉄筋用スペーサの平断面図、(b)は、鉄筋用スペーサの側断面図、(c)は、鉄筋用スペーサの正断面図である。
鉄筋用スペーサは、鉄筋が配筋されてなるコンクリート構造物、例えば、壁や柱、床等を構築する際に、鉄筋のコンクリート被り厚を確保するために用いられるものである。すなわち、図１(a)、(b)に示すように、縦筋１aと横筋１bとが交差する鉄筋の交差部分１Ａと、型枠２との間に鉄筋用スペーサ１０を取り付けることによって、最外縁鉄筋と型枠２内面との距離、つまり鉄筋のコンクリート被り厚が確保されるようになっている。
ここで、縦筋１aと横筋１bとは、縦筋１aが型枠２の内面側に配設されるように横筋１bの外側に縦筋１aが配筋されている。
【００１３】
鉄筋用スペーサ１０は、交差部分１Ａにおいて、型枠２の内面に先端面１１aが当接して配されるブロック状のスペーサ本体１１と、該スペーサ本体１１の基端面１１bから突出して設けられて、縦筋１aを挟み込むとともに、縦筋１aの両側において奥側に配設された横筋１bに吊り下げた状態で係止する一対のアーム部１２、１２とを備えている。
【００１４】
スペーサ本体１１は略円錐台形状をなしており、型枠２の内面側を向く先端面１１aが曲面形状を有している。また、スペーサ本体１１の基端面１１bは平面となっている。
さらに、スペーサ本体１１は、例えば、モルタル製、コンクリート製、樹脂補強繊維入りコンクリート製、金属製、樹脂製等で高強度に形成されている。
【００１５】
一対のアーム部１２、１２は、一本のバネ鋼線により形成され、所定の長さのバネ鋼線を中心で平断面視略Ｕ字型となるように折り曲げて形成され、スペーサ本体１１内に埋設される埋設部１２１と、この埋設部１２１に連続して設けられ、スペーサ本体１１の基端面１１bから突出するとともに交差部分１Ａに向けて上方に傾斜し、その先端部分が横筋１bに係止するように湾曲形状に曲げられた係止部１２２、１２２とを備えている。
【００１６】
このような構成の鉄筋用スペーサ１０を交差部分１Ａに固定した場合は、一対のアーム部１２、１２間に手前の縦筋１aが挟み込まれるとともに、係止部１２２、１２２が縦筋１aの奥側の横筋１bに吊り下げた状態で係止する。また、このとき、スペーサ本体１１の基端面１１bは縦筋１aに対して略平行となるように当接する。
【００１７】
一方、鉄筋用スペーサ１０を使用してコンクリート構造物を構築する場合には、まず、縦筋１aと横筋１bとが配筋された交差部分１Ａにおいて、一対のアーム部１２、１２間に縦筋１aを挟み込ませるとともにアーム部１２、１２の係止部１２２、１２２を横筋１bに係止させることにより、鉄筋用スペーサ１０を交差部分１Ａに固定する。
次いで、型枠２を組み立てた後に型枠２内にコンクリートを打設して締め固め、最後に型枠２を取り外すことによってコンクリート構造物を構築する。
【００１８】
以上、本発明の第１の実施の形態の鉄筋用スペーサ１０によれば、横筋１bの外側に縦筋１aが配筋された交差部分１Ａにおいて、一対のアーム部１２、１２間で縦筋１aを挟み込むとともに、アーム部１２、１２の係止部１２２、１２２が横筋１bに吊り下げた状態で係止することによって、交差部分１Ａに鉄筋用スペーサ１０が固定されることとなる。したがって、鉄筋用スペーサ１０の安定性が良く、脱落や転倒しにくくなる。その結果、所要のコンクリート被り厚を正確かつ容易に確保することができる。また、このことから被り厚の検測の手間が省略でき、施工管理の効率化に優れる。
また、スペーサ本体１１の先端面１１aが曲面形状を有しているので、例えば、型枠２の調整時等に型枠２が多少がたついたとしても、コンクリート被り厚が変わることがない。
さらに、型枠２に接触する面積が少なくなるため、型枠調整時や鉄筋調整にスペーサ本体１１が一緒にずれにくくなり、この点においても鉄筋用スペーサ１０の脱落、転倒を防止することができる。
【００１９】
また、特に、一対のアーム部１２、１２間で手前の縦筋１aを挟み込んだうえで、アーム部１２、１２の係止部１２２、１２２が縦筋１aの奥側の横筋１bに吊り下げた状態で係止することから、スペーサ本体１１の基端面１１bが縦筋１aに当接する。そのため、後述する第２の実施の形態の鉄筋用スペーサ２０に比べて、交差部分１Ａに、より安定した状態で固定することができる。しかも、第２の実施の形態の鉄筋用スペーサ２０と異なり保持部２２を備えていないため、単純な構成で部品点数も少なく、コスト低減を図ることができる。
【００２０】
［第２の実施の形態］
図２(a)は、本発明の第２の実施の形態を示す鉄筋用スペーサの平断面図、(b)は、鉄筋用スペーサの側断面図である。
なお、図２(a)、(b)に示すように、第２の実施の形態の鉄筋用スペーサ２０は、第１の実施の形態と異なり、横筋１bが型枠２の内面側に配設されるように縦筋１aの外側に横筋１bが配筋された交差部分１Ｂに固定される。
【００２１】
鉄筋用スペーサ２０は、第１の実施の形態と同様のスペーサ本体１１と、スペーサ本体１１の基端面１１bから突出して設けられて横筋１bに吊り下げた状態で係止する一対のアーム部２１、２１と、スペーサ本体１１の基端面１１bから突出して設けられて、縦筋１aを挟み込むとともに基端面１１bが縦筋１aに対して略平行となるようにスペーサ本体１１を保持する保持部２２とを備えている。
【００２２】
アーム部２１及び保持部２２は、一本のバネ鋼線により一体に形成されている。つまり、保持部２２は、所定の長さのバネ鋼線を平断面視略Ｍ字型となるように折り曲げて形成されており、アーム部２１は、保持部２２と反対側で１８０度折り返して形成されている。
また、保持部２２は、そのＭ字型部分により形成される凹部２２aによって縦筋１aを挟み込むようになっている。
アーム部２１は、保持部２２の反対側で１８０度折り返して形成され、スペーサ本体１１内に埋設される埋設部２１１と、埋設部２１１に連続して設けられ、スペーサ本体１１の基端面１１bから上方に垂直に延出し、先端部分が横筋１bに係止するように湾曲形状に曲げられた係止部２１２、２１２とを備えている。
【００２３】
このような構成の鉄筋用スペーサ２０を交差部分１Ｂに固定した場合は、保持部２２により形成される凹部２２aに奥側の縦筋１aが挟み込まれるとともに、スペーサ本体１１は、縦筋１aに対して略平行となるように縦筋１aから所定間隔（横筋１bの幅分）隔てて保持され、かつ、係止部２１２、２１２が手前の横筋１bに吊り下げた状態で係止する。また、一対のアーム部２１、２１の係止部２１２、２１２間によっても縦筋１aが多少挟み込まれて支持される。
【００２４】
なお、その他の構成等は第１の実施の形態と同様のため、同様の構成部分については同様の符号を付してその説明を省略する。
【００２５】
以上、本発明の第２の実施の形態の鉄筋用スペーサ２０によれば、縦筋１aの外側に横筋１bが配筋された交差部分１Ｂにおいて、一対のアーム部２１、２１の係止部２１２、２１２及び保持部２２の凹部２２aが縦筋１aを挟み込むとともに、アーム部２１、２１の係止部２１２、２１２が横筋１bに吊り下げた状態で係止し、保持部２２が、スペーサ本体１１をその基端面１１bが縦筋１aに対して略平行となるように保持することによって、交差部分１Ｂに鉄筋用スペーサ２０が固定されることとなる。したがって、鉄筋用スペーサ２０の安定性が良く、脱落や転倒しにくくなる。その結果、所要のコンクリート被り厚を正確かつ容易に確保することができる。また、このことから、被り厚の検測の手間が省略でき、施工管理の効率化に優れる。
その他、第１の実施の形態と同様の構成部分については同様の効果を得ることができる。
【００２６】
なお、本発明は、上記実施の形態に限定されるものではなく、その要旨を逸脱しない範囲で適宜変更可能である。
例えば、上述したスペーサ本体１１の形状は円錐台形状としたが、この形状に限らず、背高い蒲鉾形状としても良い。また、先端面１１aは曲面形状をなしていたが、平面形状であっても構わない。
また、アーム部１１、２１及び保持部２２の形状も上述した形状に特に限られるものではなく、本発明の趣旨を逸脱しない範囲で適宜変更可能である。
さらに、アーム部１１、２１はバネ鋼線により形成されるとしたが、これに限らず、例えば、樹脂製や金属製であっても良い。
【図面の簡単な説明】
【００２７】
【図１】本発明の第１の実施の形態の鉄筋用スペーサを示すためのもので、(a)は平断面図、(b)は側断面図、(c)は正断面図である。
【図２】本発明の第２の実施の形態の鉄筋用スペーサを示すためのもので、(a)は平断面図、(b)は側断面図である。
【符号の説明】
【００２８】
１Ａ、１Ｂ  交差部分
１a  縦筋
１b  横筋
２  型枠
１０、２０  鉄筋用スペーサ
１１  スペーサ本体
１１a  先端面
１１b  基端面
１２、２１  アーム部
２２  保持部
【図１】
2005126907.tif 000003
【図２】
2005126907.tif 000004